(57)【要約】【課題】 同一の駆動信号を分岐して被検査装置に供給し、被検査装置の動作により被検査装置の検査を行うための信号分岐装置及び装置検査方法に関し、検査を容易かつ確実に行える信号分岐装置及び装置検査方法を提供することを目的とする。【解決手段】   本発明は、所定数の接続端子から構成される複数のコネクタが実装された信号分岐装置であって、複数のコネクタを所定数の接続端子の端子番号が互いに一致するように接続したことを特徴とする。【選択図】 図４
2005085742.tif 000002
【特許請求の範囲】
【請求項１】
所定数の接続端子から構成される複数のコネクタが実装された信号分岐装置であって、
前記複数のコネクタを前記所定数の接続端子の端子番号が互いに一致するように接続したことを特徴とする信号分岐装置。
【請求項２】
前記複数のコネクタの前記所定数の接続端子間の接続を行うケーブルを有することを特徴とする請求項１記載の信号分岐装置。
【請求項３】
前記複数のコネクタの前記所定数の接続端子間の接続を行う回路基板を有することを特徴とする請求項１記載の信号分岐装置。
【請求項４】
前記複数のコネクタの接続部分を収納するシールドケースを有することを特徴とする請求項１乃至３のいずれか一項記載の信号分岐装置。
【請求項５】
前記複数のコネクタは、プラグ又はジャックの組み合わせから構成されることを特徴とする請求項１乃至５のいずれか一項記載の信号切換装置。
【請求項６】
前記複数のコネクタは、各々、前記所定数の接続端子をシールドするフレームを有し、
前記フレームを前記シールドケースに取り付け、前記複数のコネクタを前記シールドケースに取り付けることにより、前記複数のコネクタで共通のグランドを取ることを特徴とする請求項１乃至５のいずれか一項記載の信号切換装置。
【請求項７】
駆動信号に応じて駆動される装置の検査を行う装置検査方法において、
前記駆動信号を信号処理することなく、複数の駆動信号に分岐させ、
分岐された前記複数の駆動信号を各々、前記装置に供給し、前記装置を複数、同時に動作させることを特徴とする装置検査方法。
【発明の詳細な説明】
【技術分野】
【０００１】
本発明は信号分岐装置及び装置検査方法に係り、特に、同一の駆動信号を分岐して被検査装置に供給し、被検査装置の動作により被検査装置の検査を行うための信号分岐装置及び装置検査方法に関する。
【背景技術】
【０００２】
ＬＣＤ（liquid crystal display）などの表示装置は出荷時などに正常に動作するか否かを確認するための検査が行われる。
【０００３】
図１は従来の表示装置検査システムのシステム構成図を示す。
【０００４】
表示装置検査システム１は、検査用コンピュータ装置１１、切換装置１２、表示装置１３−１、１３−２、接続ケーブル１４−１〜１４−３から構成される。
【０００５】
検査用コンピュータ１１は、例えば、パーソナルコンピュータから構成され、モニタ接続用ソケットコネクタを有する。モニタ接続用ソケットコネクタは、例えば、ミニＤ−Ｓｕｂ／１５ピン／ソケットコネクタであり、ＲＧＢアナログ映像信号が出力される。
【０００６】
検査用コンピュータ１１のモニタ接続用ソケットコネクタには、接続ケーブル１４−１の一端に設けられたプラグコネクタ３１が接続される。プラグコネクタ３１は、ミニＤ−Ｓｕｂ／１５ピン／プラグコネクタであり、モニタ接続用ソケットコネクタ６１にコネクトされている。
【０００７】
接続ケーブル１４−１の他端には、プラグコネクタ３２が設けられている。プラグコネクタ３２は、ミニＤ−Ｓｕｂ／１５ピン／プラグコネクタであり、切換装置１２の信号入力用ソケットコネクタ２１に接続される。
【０００８】
ここで、切換装置１２について詳細に説明する。
【０００９】
図２は切換装置１２のブロック構成図を示す。
【００１０】
切換装置１２は、信号入力用ソケットコネクタ２１、第１の信号出力用ソケットコネクタ２２、第２の信号出力用ソケットコネクタ２３、スイッチ回路２４−１〜２４−ｎ、切換スイッチ２５から構成される。
【００１１】
信号入力用ソケットコネクタ２１は、ミニＤ−Ｓｕｂ／１５ピン／ソケットコネクタから構成され、ケーブル１４−１の他端に設けられたプラグコネクタ３２が接続される。信号入力用ソケットコネクタ２１は、切換装置１２の内部で入力接続線Ｌ1〜Ｌｎによりスイッチ回路２４−１〜２４−ｎに接続されている。スイッチ回路２４−１〜２４−ｎは、切換スイッチ２５の操作に応じて入力接続線Ｌ１〜Ｌｎを第１の出力接続線Ｌ11〜Ｌ1n又は第２の出力接続線Ｌ21〜Ｌ2nのいずれかに選択的に接続する。
【００１２】
第１の出力接続線Ｌ11〜Ｌ1nは第１の信号出力用ソケットコネクタ２２に接続され、第２の出力接続線Ｌ21〜Ｌ2nは第２の信号出力用ソケットコネクタ２３に接続される。第１の信号出力ソケットコネクタ２２及び第２の信号出力ソケットコネクタ２３は、例えば、ミニＤ−Ｓｕｂ／１５ピン／ソケットコネクタから構成され、ケーブル１４−２、ケーブル１４−３のプラグコネクタ４１、５１が接続される。プラグコネクタ４１、５１は、ミニＤ−Ｓｕｂ／１５ピン／プラグコネクタから構成され、ケーブル１４−２、１４−３の一端に設けられている。ケーブル１４−２、１４−３の他端には、プラグコネクタ４２、５２が設けられている。プラグコネクタ４２、５２は、ミニＤ−Ｓｕｂ／１５ピン／プラグコネクタから構成され、表示装置１３−１、１３−２に接続される。
【００１３】
検査時には、切換スイッチ２５を切り換えることにより検査用コンピュータ１１からの映像信号を表示装置１３−１又は表示装置１３−２のいずれかに供給し、表示装置１３−１又は１３−２のいずれかに画面を表示し、表示画面に基づいて表示装置１３−１、１３−２の検査を行っていた。
【００１４】
このように切替装置１２を用いた検査方法では、表示装置１３−１、１３−２のいずれか一方の表示装置に画面が表示されるため、表示装置１３−１と表示装置１３−２との画面を比較して検査を行うことができなかった。このため、検査用コンピュータ１１からの映像信号を分岐する分岐装置を用いて検査を行う方法が考えられる。
【００１５】
分岐装置としては、例えば、ドライバ及びレシーバが内蔵され、マスタ装置の出力コネクタを分岐させて複数のスレーブ装置を通信可能に接続させる増設コネクタが提案されている（特許文献１）。
【００１６】
【特許文献１】特開平１１−５４２２７号公報
【発明の開示】
【発明が解決しようとする課題】
【００１７】
しかるに、従来の切換装置を用いた検査方法では、表示装置１３−１、１３−２に同時に検査用画面を表示させることができなかった。また、ドライバなどを搭載した分岐装置では、複数の表示装置に同じ画面を表示させることはできるが、映像信号がドライバ、レシーバなどを通して表示装置に供給されるため、分岐装置の内部回路に故障などにより、表示装置１３−１、１３−２の表示画面が変化して、検査対象である表示装置１３−１、１３−２の検査を行えないなどの課題があった。また、駆動用電源を接続する必要があり、取り扱いが煩雑であった。
【００１８】
本発明は上記の点に鑑みてなされたもので、検査を容易かつ確実に行える信号分岐装置及び装置検査方法を提供することを目的とする。
【課題を解決するための手段】
【００１９】
本発明は、所定数の接続端子から構成される複数のコネクタが実装された信号分岐装置であって、複数のコネクタを所定数の接続端子の端子番号が互いに一致するように接続したことを特徴とする。
【００２０】
また、本発明は、複数のコネクタの接続部分を収納するシールドケースを有することを特徴とする。
【００２１】
さらに、本発明は、複数のコネクタが、プラグ又はジャックの組み合わせから構成されることを特徴とする。
【００２２】
本発明は、複数のコネクタが、各々、所定数の接続端子をシールドするフレームを有し、フレームをシールドケースに取り付け、複数のコネクタをシールドケースに取り付けることにより、複数のコネクタで共通のグランドを取ることを特徴とする。
【００２３】
また、本発明は、駆動信号に応じて駆動される装置の検査を行う装置検査方法において、駆動信号を信号処理することなく、複数の駆動信号に分岐させ、分岐された複数の駆動信号を各々、装置に供給し、装置を複数、同時に動作させることを特徴とする。
【発明の効果】
【００２４】
上述の如く、本発明によれば、ドライバやレシーバなどを内蔵しないため、簡単な構成で、信号を分岐させ、複数の装置を同時に動作させることができ、よって、装置の検査などを確実に行える。
【発明を実施するための最良の形態】
【００２５】
図３は本発明の一実施例のシステム構成図を示す。同図中、図１と同一構成部分には同一符号を付し、その説明は省略する。
【００２６】
本発明の検査システム１は、検査用コンピュータ１１、信号分岐装置１１１、表示装置１３−１、１３−２から構成される。
【００２７】
検査用コンピュータ１１は、パーソナルコンピュータなどから構成されており、検査用画面に応じたアナログ映像信号をアナログディスプレイ端子である、ソケットコネクタ３１から出力する。ソケットコネクタ３１は、ミニＤ−Ｓｕｂ／１５ピン／ソケットコネクタから構成されている。
【００２８】
ミニＤ−Ｓｕｂ／１５ピン／ソケットコネクタは、パーソナルコンピュータなどの分野で、標準的に使われている映像用コネクタである。ミニＤ−Ｓｕｂ／１５ピン／ソケットコネクタであるソケットコネクタ３１は、１５本の端子を有し、Ｒ（赤）／Ｇ（緑）／Ｂ（青）のアナログ映像信号、Ｈ（水平）／Ｖ（垂直）の同期信号、ディスプレイとのデータ通信を行うためのＤＤＣ（display data channel）用ディジタル信号などの信号を送出する。
【００２９】
信号分岐装置１１１は、検査用コンピュータ１１のソケットコネクタ３１から送出されるアナログ映像信号を二分岐する装置である。
【００３０】
図４は信号分岐装置１１１の分解斜視図を示す。
【００３１】
信号分岐装置１１１は、ソケットコネクタ２１、２２、２３、シールドケース１２１、カバー１２２、ソケット固定ネジ１２３、カバー固定ネジ１２４、接続線Ｌ11〜Ｌ1n、Ｌ21〜Ｌ2nから構成される。ソケットコネクタ２１、２２、２３は、装置内部で同一のピン番号の端子同士が接続線Ｌ11〜Ｌ1n、Ｌ21〜Ｌ2nにより接続されている。
【００３２】
図５はソケットコネクタ３１の分解斜視図を示す。
【００３３】
ソケットコネクタ３１は、コネクタ本体１３１、シールド部１３２、固定ピン１３３から構成される。コネクタ本体１３１は、樹脂などからなる絶縁部１４１に接続ピンＰ１〜Ｐｎを植設した構成とされている。ミニＤ−Ｓｕｂ／１５ピン／コネクタは、１５本の接続ピンが５行３列に配列されている。
【００３４】
シールド部１３２は、金属板を加工して成形されており、コネクタ本体１３１の前面に装着され、コネクタ本体１３１の前面周囲及びコネクタ本体１３１のコネクト部分の側面をシールドする。
【００３５】
固定ピン１３３は、係止部１５１及びネジ部１５２を有する。ネジ部１５２は、略円筒状をなし、その内周側には、ネジ山が形成されている。ネジ山には、ソケット固定ネジ１２３が固定可能とされる。
【００３６】
コネクタ本体１３１の背面側からコネクタ本体１３１の貫通孔１６１及びシールド板１３２の貫通孔１７１を貫通されて、係止部１５１がコネクタ本体１３１の背面に突き当たった状態で、ネジ部１５２の先端をかしめることにより、コネクタ本体１３１にシールド板１３２が固定される。
【００３７】
なお、ソケットコネクタ２１、２２は、ソケットコネクタ２３と同一構造であるので、その説明は省略する。
【００３８】
図６は信号分岐装置１２の配線図を示す。
【００３９】
信号分岐装置１２は、装置内部で同一のピン番号の端子同士が接続線Ｌ11〜Ｌ1n、Ｌ21〜Ｌ2nにより接続されている。例えば、ソケットコネクタ２１のピン番号♯１の接続ピンＰ11には、ソケットコネクタ２２のピン番号♯１の接続ピンＰ21が接続線Ｌ11により接続され、ソケット２３のピン番号♯１の接続ピンＰ31が接続線Ｌ21により接続される。同様に、ソケットコネクタ２１のピン番号♯ｉ（ｉは２以上ｎ以下の整数）の接続ピンＰ1iには、ソケットコネクタ２２のピン番号♯ｉの接続ピンＰ2iが接続線Ｌ1iにより接続され、ソケット２３のピン番号♯ｉの接続ピンＰ3iが接続線Ｌ2iにより接続される。
【００４０】
これにより、ソケットコネクタ２１、２２、２３は、同一のピン番号の接続ピン同士が接続される。
【００４１】
ソケットコネクタ２１には、ケーブル１４−２のプラグコネクタ４１が接続される。ケーブル１４−２のプラグコネクタ４２は、表示装置１３−１のソケットコネクタ７１に接続される。また、ソケットコネクタ２３には、ケーブル１４−３のプラグコネクタ５１が接続される。ケーブル１４−３のプラグコネクタ５２は、表示装置１３−２のソケットコネクタ８１に接続される。
【００４２】
表示装置１３−１、１３−２は、被検査装置であり、ＬＣＤ（liquid crystal device）、ＣＲＴ（cathode ray tube）などのディスプレイ装置から構成され、信号分岐装置１１１から供給されたアナログ映像信号に応じた画面を表示する。
【００４３】
本実施例によれば、分岐装置１１１はソケットコネクタ２１、２２、２３の接続ピンＰ11〜Ｐ1n、Ｐ21〜Ｐ2n、Ｐ31〜Ｐ3nを同一のピン番号同士が接続されるように接続線Ｌ11〜Ｌ1n、Ｌ21〜Ｌ2nにより接続した構成であり、内部にドライバ、レシーバなどの信号を処理するための回路が不要であるので、簡単な構造で構成できる。よって、検査用コンピュータ１１からの映像信号をその波形が変形されることなく、表示装置１３−１、１３−２に供給することができる。
【００４４】
このため、信号分岐装置１１１の動作状態によらず、装置の動作状態に応じた画面が表示装置１３−１、１３−２に表示されるので、表示装置１３−１、１３−２の動作状態を確実に認識できる。
【００４５】
さらに、本実施例では、コネクタ２１、２２、２３を単に接続線Ｌ11〜Ｌ1n、Ｌ21〜Ｌ2nで接続する構成であるため、コネクタ２１、２２、２３の間の配線を短くできるとともに、接続線Ｌ11〜Ｌ1n、Ｌ21〜Ｌ2nをシールドケース１２１及びカバー１２２によりシールドすることができるため、特性インピーダンスの変化を最小限に押させることができる。
【００４６】
また、シールドケース１２１及びカバー１２２は、ケーブル１４−１、１４−２、１４−３のプラグコネクタ３２、４１、５１をソケットコネクタ２１、３１、４１に接続することにより、グランドに接続されるため、シールドケース１２１及びカバー１２２を専用線によりグランドに接続する必要がない。
【００４７】
なお、本実施例の信号分岐装置１１１は、検査用コンピュータ１１に接続するためのコネクタをすべてソケットコネクタ２１、２２、２３で構成したが、プラグコネクタを組み合わせても良い。
【００４８】
なお、本実施例では、接続線Ｌ11〜Ｌ1n、Ｌ21〜Ｌ2nを用いてソケットコネクタ２１、２２、２３を同一ピン番号同士が接続したが、接続線Ｌ11〜Ｌ1n、Ｌ21〜Ｌ2nに代えて多層プリント配線板によりソケットコネクタ２１、２２、２３の同一ピン番号同士を接続するようにしてもよい。
【００４９】
図７は信号分岐装置の第１変形例の分解斜視図を示す。同図中、図４と同一構成部分には同一符号を付し、その説明は省略する。
【００５０】
本実施例の信号分岐装置２１１は、接続線Ｌ11〜Ｌ1n、Ｌ21〜Ｌ2nに代えて多層プリント配線板２２１を用いてソケットコネクタ２１、２２、２３の同一ピン番号同士を接続している。このとき、本実施例では、ソケットコネクタ２１、２２、２３は、多層プリント配線板２２１に直接実装される。多層プリント配線板２２１は、図６に示すようにソケットコネクタ２１、２２、２３の接続ピンＰ11〜Ｐ1n、Ｐ21〜Ｐ2n、Ｐ31〜Ｐ3nを接続するように配線が施されている。
【００５１】
本変形例によれば、接続線Ｌ11〜Ｌ1n、Ｌ21〜Ｌ2nに代えて多層プリント配線板２２１を用いてソケットコネクタ２１、２２、２３の同一ピン番号同士を接続することにより、自動化を容易に行える。
【００５２】
また、本実施例では、信号分岐装置１１１を、ケーブル１４−１を介して検査用コンピュータ１１に接続したが、ケーブル１４−１を信号分岐装置１１１に一体化してもよい。
【００５３】
図８は信号分岐装置の第２変形例の構成図、図９は信号分岐装置の配線図を示す。同図中、図４、図６と同一構成部分には同一符号を付し、その説明は省略する。
【００５４】
本変形例の信号分岐装置３１１は、接続線Ｌ11〜Ｌ1n、Ｌ21〜Ｌ2nを一端にプラグコネクタ３３１が接続されたケーブル３２１の接続線Ｌ31〜Ｌ3nに直接接続した構成とされている。
【００５５】
プラグコネクタ３３１のピン番号♯１の接続ピンＰ41には、ソケットコネクタ２２のピン番号♯１の接続ピンＰ21が接続線Ｌ11、Ｌ31により接続され、ソケットコネクタ２３のピン番号♯１の接続ピンＰ31が接続線Ｌ21、Ｌ31により接続される。同様に、プラグコネクタ３３１のピン番号♯ｉ（ｉは２以上ｎ以下の整数）の接続ピンＰ4iには、ソケットコネクタ２２のピン番号♯ｉの接続ピンＰ2iが接続線Ｌ1i、Ｌ3iにより接続され、ソケット２３のピン番号♯ｉの接続ピンＰ3iが接続線Ｌ2i、Ｌ3iにより接続される。
【００５６】
これにより、ソケットコネクタ２２、２３及びプラグコネクタ３３１は、同一のピン番号の接続ピン同士が接続される。
【００５７】
本変形例によれば、信号分岐装置３１１と検査用コンピュータ１１とを別途ケーブルを接続することなく接続することができる。また、ケーブル３２１を指定インピーダンスのケーブルとすることにより、特性インピーダンスを変えることなく、接続を行える。
【００５８】
また、本実施例では、複数のコネクタの同一ピン番号の接続ピン同士を接続したが、必要に応じて異なるピン番号の接続ピン同士を接続し、変換接続するようにしてもよい。
【００５９】
また、本実施例の信号分岐装置１１１は、ケーブルを介して検査用コンピュータ１１及び表示装置１３−１、１３−２との接続を行ったが、信号分岐装置１１１のソケットコネクタ２１、２２、２３をプラグコネクタとすることによりケーブルを介さずに検査用コンピュータ１１のソケットコネクタ６１に直接接続するようにしてもよい。
【００６０】
図１０は本発明の第２実施例のシステム構成図を示す。同図中、図３と同一構成部分には同一符号を付し、その説明は省略する。
【００６１】
本実施例の信号分岐装置４１１は、ソケットコネクタ２１をプラグコネクタ４２１で構成した構成とされている。信号分岐装置４１１のプラグコネクタ４２１は、検査用コンピュータ１１のソケットコネクタ６１に接続される。本実施例によれば、ケーブル１４−１が不要となる。
【００６２】
図１１は本発明の第３実施例のシステム構成図を示す。同図中、図３と同一構成部分には同一符号を付し、その説明は省略する。
【００６３】
本実施例の信号分岐装置５１１は、ソケットコネクタ２２をプラグコネクタ５２１で構成した構成とされている。信号分岐装置５１１のプラグコネクタ５２１は、表示装置１３−１のソケットコネクタ７１に接続される。本実施例によれば、ケーブル１４−２が不要となる。なお、ソケットコネクタ２３をプラグコネクタで構成して、信号分岐装置を表示装置１３−２に直接接続するようにしてもよい。
【図面の簡単な説明】
【００６４】
【図１】従来の表示装置検査システムのシステム構成図である。
【図２】切換装置１２のブロック構成図である。
【図３】本発明の一実施例のシステム構成図である。
【図４】信号分岐装置１１１の分解斜視図である。
【図５】ソケットコネクタ３１の分解斜視図である。
【図６】信号分岐装置１２の配線図である。
【図７】信号分岐装置の第１変形例の分解斜視図である。
【図８】信号分岐装置の第２変形例の構成図である。
【図９】信号分岐装置の配線図である。
【図１０】本発明の第２実施例のシステム構成図である。
【図１１】本発明の第３実施例のシステム構成図である。
【符号の説明】
【００６５】
１  検査システム
１１  検査用コンピュータ、１３−１、１３−２  表示装置
１４−１〜１４−３  ケーブル
１１１  信号分岐装置
１２１  シールドケース、１２２  カバー、１２３  ソケット固定ネジ
１２４  カバー固定ネジ
Ｌ11〜Ｌ1n、Ｌ21〜Ｌ2n  接続線
【図１】
2005085742.tif 000003
【図２】
2005085742.tif 000004
【図３】
2005085742.tif 000005
【図４】
2005085742.tif 000006
【図５】
2005085742.tif 000007
【図６】
2005085742.tif 000008
【図７】
2005085742.tif 000009
【図８】
2005085742.tif 000010
【図９】
2005085742.tif 000011
【図１０】
2005085742.tif 000012
【図１１】
2005085742.tif 000013